(57)【要約】【課題】録画設定が行われずとも、放送番組の履歴を参照して自動録画し、且つ一定期間視聴されない放送番組を自動削除することで、本当に視聴したかった放送番組の録画忘れを防止した記録再生装置を提供する。【解決手段】ＭＰＵ１０５は、履歴情報テーブル１１１ｂの履歴データを参照し（ｓ２）、現在所定日であるか否かを判断する（ｓ３）。この判断は、履歴データの録画日とタイマーマイコン１０９の現在時刻とを比較して行なわれる。ｓ３において所定日と判断した放送番組を録画予約しても良いと判断すると、ＭＰＵ１０５は、該放送番組を録画予約情報テーブル１１１aに登録（記録）する。後に、録画予約情報テーブル１１１aに基づいて録画が実行されることにより、履歴録画が行なわれる。【選択図】図４
2007194729.tif 000002
【特許請求の範囲】
【請求項１】
入力ソースから入力されてきた放送番組の情報記憶媒体への記録又は該情報記憶媒体に記録されている放送番組の再生を行う記録再生手段を備えたHD付きＤＶＤレコーダにおいて、
前記記録再生手段が前記放送番組の記録又は再生を行うと、該放送番組の記録再生履歴に関する履歴データを記憶する履歴情報テーブルと、
入力ソースから電子番組情報を取得する番組情報取得手段と、を備え、
前記記録再生手段は、前記入力ソースから入力されてきた放送番組の番組名が前記履歴情報テーブルに記憶されている放送番組の番組名と同じであれば、前記番組情報取得手段が取得した前記電子番組情報に基づいて、その放送番組を特定放送番組として前記情報記憶媒体に自動的に記録し、
前記記録再生手段は、前記履歴情報テーブルに記憶されている前記履歴データを参照し、その特定放送番組が一定期間の間に再生されたか否か判断し、該特定放送番組が該一定期間の間に再生されていなければ、該特定放送番組を前記情報記憶媒体から削除し、
前記一定期間を予め設定する操作手段を備え、
前記記録再生手段は、前記操作手段により前記一定期間が予め設定されると、該設定された一定期間の間に、前記履歴情報テーブルに記憶されている前記特定放送番組が再生されたか否か判断するHD付きＤＶＤレコーダ。
【請求項２】
入力ソースから入力されてきた放送番組の情報記憶媒体への記録又は該情報記憶媒体に記録されている放送番組の再生を行う記録再生手段を備えた記録再生装置において、
前記記録再生手段が前記放送番組の記録又は再生を行うと、該放送番組の記録再生履歴に関する履歴データを記憶する履歴情報テーブルを備え、
前記記録再生手段は、前記入力ソースから入力されてきた放送番組の番組名が前記履歴情報テーブルに記憶されている放送番組の番組名と同じであれば、その放送番組を特定放送番組として前記情報記憶媒体に自動的に記録し、
前記記録再生手段は、前記履歴情報テーブルに記憶されている前記履歴データを参照し、その特定放送番組が一定期間の間に再生されたか否か判断し、該特定放送番組が該一定期間の間に再生されていなければ、該特定放送番組を前記情報記憶媒体から削除する記録再生装置。
【請求項３】
前記一定期間を予め設定する操作手段を備え、
前記記録再生手段は、前記操作手段により前記一定期間が予め設定されると、該設定された一定期間の間に、前記履歴情報テーブルに記憶されている前記特定放送番組が再生されたか否か判断する請求項２に記載の記録再生装置。
【請求項４】
入力ソースから電子番組情報を取得する番組情報取得手段を備え、
前記記録再生手段は、前記番組情報取得手段が取得した前記電子番組情報を参照して、前記入力ソースから入力されてきた放送番組の番組名を取得し、
前記記録再生手段は、前記入力ソースから入力されてきた放送番組の番組名が前記履歴情報テーブルに記憶されている放送番組の番組名と同じであれば、前記番組情報取得手段が取得した前記電子番組情報に基づいて、その放送番組を特定放送番組として前記情報記憶媒体に自動的に記録する請求項２又は３に記載の記録再生装置。
【発明の詳細な説明】
【技術分野】
【０００１】
本発明は、情報記憶媒体に記録されているＡＶデータを再生する再生機能と、情報記憶媒体にＡＶデータを記録する記録機能と、を単一の筐体内に備える記録再生装置に関するものである。
【背景技術】
【０００２】
従来、情報記憶媒体に記録されているＡＶ（Audio  Visual）データ（以下、映像と音声に係るデータをＡＶデータと称するが、特に区別してないときは、ＡＶデータに制御データ等も含むとする。）を再生する再生機能と、情報記憶媒体にＡＶデータを記録する記録機能と、を単一の筐体内に備える記録再生装置が各種考案されている。記録再生装置は、例えばＤＶＤレコーダ、ハードディスク（HD）レコーダ、HD付きＤＶＤレコーダ、又はパーソナルコンピュータである。また、情報記憶媒体は、例えばＤＶＤ等の光ディスク又はハードディスク等の磁気記録媒体である。
【０００３】
現在のテレビション放送による番組編成では、例えば１週間の周期で、同一タイトルの放送番組(例えばドラマ等)をその曜日の同一時間帯に放送するようにしている。従って、ユーザは、曜日毎に、その曜日の決まった時間帯にテレビ視聴することになる。
この際、上記時間帯にテレビを視聴することが出来ない場合、ユーザは、記録再生装置のタイマ録画機能を利用することにより録画予約し、視聴したい放送番組を情報記憶媒体に録画していた。録画予約する際、放送番組のチャンネルと放送時間とのセットは、ユーザ自身が操作することにより行なわれる。放送時間は、放送開始時刻及び放送終了時刻である。
なお、近年、ＥＰＧ(Electlic  Program  Guide：電子番組ガイド)などのサービスが提供されている。ユーザは、このＥＰＧを確認し、放送番組を選択して予約を行い、視聴や録画を行なうことも可能である。
【０００４】
一方、特許文献１に記載されたような視聴録画処理装置が提案されている。
この視聴録画処理装置は、録画履歴に関する履歴データを記憶する記憶手段と、記憶手段が記憶する履歴データに基づいて放送番組を自動録画する記録手段と、を備える。履歴データは、放送番組のチャンネルと放送時間である。
【特許文献１】特開２００２−１１２１２６公報
【発明の開示】
【発明が解決しようとする課題】
【０００５】
しかしながら、従来の記録再生装置において、ユーザが目的の放送番組の存在を認識しなければ、録画を行なうことが出来なかった。つまり、ユーザは常にどのような放送番組が放送されるかということを注視しつづけなければならなかった。そのため、ユーザが録画すること自体を忘れてしまうと、視聴したかった放送番組を見逃してしまうことになるという問題があった。
この問題は、上記ＥＰＧなどの優れたユーザーインターフェイスを有する記録再生装置でも同様である。
【０００６】
一方、特許文献１では、記録手段が履歴データに基づいて放送番組を自動録画するが、自動削除を行なわない。そのため、過去に録画をしたことがあるが、今回録画したくなかった放送番組まで情報記憶媒体に録画されてしまい、不必要なデータが情報記憶媒体に記録されたままになる。従って、特許文献１では、情報記憶媒体の容量を無駄に消費してしまうという問題があった。
【０００７】
本発明はこのような従来の課題を解決しようとするものであり、録画設定が行われずとも、放送番組の履歴を参照して自動録画し、且つ一定期間視聴されない放送番組を自動削除することで、本当に視聴したかった放送番組の録画忘れを防止した記録再生装置を提供することを目的とする。
【課題を解決するための手段】
【０００８】
本発明の記録再生装置は、前記課題を解決するために以下の構成を備えている。
【０００９】
（１）入力ソースから入力されてきた放送番組の情報記憶媒体への記録又は該情報記憶媒体に記録されている放送番組の再生を行う記録再生手段を備えた記録再生装置において、
前記記録再生手段が前記放送番組の記録又は再生を行うと、該放送番組の記録再生履歴に関する履歴データを記憶する履歴情報テーブルを備え、
前記記録再生手段は、前記入力ソースから入力されてきた放送番組の番組名が前記履歴情報テーブルに記憶されている放送番組の番組名と同じであれば、その放送番組を特定放送番組として前記情報記憶媒体に自動的に記録し、
前記記録再生手段は、前記履歴情報テーブルに記憶されている前記履歴データを参照し、その特定放送番組が一定期間の間に再生されたか否か判断し、該特定放送番組が該一定期間の間に再生されていなければ、該特定放送番組を前記情報記憶媒体から削除する。
【００１０】
この構成において、放送番組は、例えばドラマである。また、記録再生装置は、例えばＤＶＤレコーダ、ハードディスク（HD）レコーダ、HD付きＤＶＤレコーダ、又はパーソナルコンピュータであるが、ＤＶＤによるデータの移し変えが可能であり且つ大容量のデータを記憶できるという観点から、HD付きＤＶＤレコーダが好ましい。また、情報記憶媒体は、例えばＤＶＤ等の光ディスク又はハードディスク等の磁気記録媒体である。また、一定期間は、記録した放送番組がユーザにとって必要ないと擬制することができる時間にすれば良く、例えば１日、３日、５日である。
ここで、記録は、録画及び録音を含む概念である。
上記記録再生手段は、録画設定が行われずとも、放送番組の履歴を参照して自動的に録画している。
さらに、上記記録再生手段は、一定期間視聴されない特定放送番組を不必要なデータと擬制して自動的に削除している。
以上のように、録画設定が行われずとも、放送番組の履歴を参照して自動録画し、且つ一定期間視聴されない放送番組を自動削除することで、本当に視聴したかった放送番組の録画忘れを防止している。
従って、ユーザが録画又は録画予約すること事態を忘れてしまっても、視聴したかった放送番組を見逃すことがなくなるという効果を奏する。
また、一定期間視聴されない放送番組を自動削除するので、情報記憶媒体の空き領域を確保できるという効果も奏する。
なお、上記構成に以下の構成を追加しても良い。
録画予約情報を記憶する録画予約情報テーブルを備える。録画予約情報は、録画予約された放送番組名、録画予約された放送番組のチャンネル（録画予約チャンネル）、録画開始日時／録画終了日時（録画予約時間）であり、放送局ＩＤ、録記録画質等も含まれる。
上記記録再生手段は、前記入力ソースから入力されてきた放送番組の番組名が前記履歴情報テーブルに記憶されている放送番組の番組名と同じであれば、該入力されてきた放送番組と録画予約情報テーブルに記憶されている放送番組との放送時間帯が重なるか否か判断する。そして、両者が重ならないと判断すると、その放送番組を特定放送番組として前記情報記憶媒体に自動的に記録する。一方、両者が重なると判断すると、上記記録再生手段は、その放送番組を特定放送番組として前記情報記憶媒体に自動的に記録することを禁止する。
このように、履歴録画より通常の録画を優先して録画することで、ユーザの意志により予約された録画設定を妨害することが無くなるという効果を奏する。
【００１１】
（２）前記一定期間を予め設定する操作手段を備え、
前記記録再生手段は、前記操作手段により前記一定期間が予め設定されると、該設定された一定期間の間に、前記履歴情報テーブルに記憶されている前記特定放送番組が再生されたか否か判断する。
【００１２】
この構成において、ユーザは、特定放送番組を不必要なデータと擬制する期間を調節できるという効果を奏する。
【００１３】
（３）入力ソースから電子番組情報を取得する番組情報取得手段を備え、
前記記録再生手段は、前記番組情報取得手段が取得した前記電子番組情報を参照して、前記入力ソースから入力されてきた放送番組の番組名を取得し、
前記記録再生手段は、前記入力ソースから入力されてきた放送番組の番組名が前記履歴情報テーブルに記憶されている放送番組の番組名と同じであれば、前記番組情報取得手段が取得した前記電子番組情報に基づいて、その放送番組を特定放送番組として前記情報記憶媒体に自動的に記録する。
【００１４】
この構成において、電子番組情報は、各放送番組がどのチャンネルのどの放送時間帯に放送されているかを把握することができる情報であり、例えばＥＰＧ(Electlic  Program  Guide：電子番組ガイド)である。
【発明の効果】
【００１５】
この発明によれば、ユーザが録画又は録画予約すること事態を忘れてしまっても、視聴したかった放送番組を見逃すことがなくなるという効果を奏する。
また、一定期間視聴されない放送番組を自動削除するので、情報記憶媒体の空き領域を確保できるという効果も奏する。
【発明を実施するための最良の形態】
【００１６】
以下、本発明の実施形態であるHD付きＤＶＤレコーダについて説明する。
【００１７】
図１は、本発明の実施形態であるHD付きＤＶＤレコーダの構成を示すブロック図である。
HD付きＤＶＤレコーダ１は、入力されたデータを所定の情報記憶媒体に記録し、再生指示に応じて既に記録されているデータを再生する記録再生部１０４と、録画予約情報に基づく記録再生部１０４への記録及び記録再生部１０４からの再生、及び以下に説明する各部の動作を制御するマイクロコンピュータ（ＭＰＵすなわち主制御装置）１０５と、を備える。
【００１８】
録画予約情報は、録画予約された放送番組名、録画予約された放送番組のチャンネル（録画予約チャンネル）、録画開始日時／録画終了日時（録画予約時間）であり、放送局ＩＤ、録記録画質等も含まれる。
【００１９】
記録再生部１０４は、例えばＤＶＤ（Ｄｉｇｉｔａｌ  Ｖｅｒｓａｔｉｌｅ  Ｄｉｓｋ）規格に準拠して製造された光ディスクＤに、（放送番組等の）データの記録及び再生が可能な光ディスクドライブ１０４ａと、光ディスクドライブ１０４ａにセットされた光ディスクＤに記録されるデータあるいは光ディスクＤから再生されたデータの一定量を一時的に保持可能なバッファリングメモリとして機能する一時記録部１０４ｂと、大容量データを記録可能なＨＤ（ハードディスク、不図示）を内蔵するＨＤＤ（ハードディスクドライブ）１０４ｄと、データプロセッサ１０４ｃと、を備える。
【００２０】
データプロセッサ１０４ｃは、ＭＰＵ１０５の制御に従って、エンコーダ部１０３から出力された記録データをディスクドライブ１０４ａに供給したり、光ディスクＤの再生信号をディスクドライブ１０４ａから取り込み、デコーダ部１０６に供給したりする。
【００２１】
また、データプロセッサ１０４ｃは、ＭＰＵ１０５の制御に従って、エンコーダ部１０３から出力された記録データをＨＤＤ１０４ａに供給したり、ＨＤＤ１０４ａからの再生信号をデコーダ部に供給したりする。
さらに、データプロセッサ１０４ｃは、ＭＰＵ１０５の制御に従って、光ディスクＤ又はＨＤＤ１０４ａに記録されたデータを書替えたり、記録されたデータの削除を行う。
【００２２】
なお、一時記録部１０４ｂは、具体的には、記録途中で光ディスクの記録容量を使い切ってしまった場合において、光ディスクＤが記録容量の残っている光ディスクに交換されるまでの間、記録対象であるデータを、一時記憶しておくことに利用できる。光ディスクＤは、書換え可能なタイプであり、例えばＤＶＤ−ＲW、ＤＶＤ−ＲＡＭ等とする。
【００２３】
ＡＶ入力端子１０１は、記録対象である映像信号や音声信号等を装置本体１外部から入力し、接続されているエンコーダ部１０３に出力する。
チューナ１０２は、例えば放送事業者等に代表される情報配信者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。テレビ放送信号は、例えばＭＰＥＧ２で圧縮された信号である。また、この信号には、放送予定の放送番組について放送開始時間などを示した番組表のデータ、所謂電子番組ガイド（ＥＰＧ）、が多重化されている。
【００２４】
エンコーダ部１０３は、ＡＶ入力端子１０１から入力された映像信号や音声信号をエンコードして圧縮し、記録データとして、データプロセッサ１０４ｃに出力する。
【００２５】
また、エンコーダ部１０３は、チューナ１０２から入力されたテレビ放送信号から映像信号、音声信号、ＥＰＧの信号を分離する。そして、エンコーダ部１０３は、ＥＰＧの信号をＭＰＵ１０５に出力するとともに、映像信号や音声信号をエンコードして圧縮し、記録データとして、データプロセッサ１０４ｃに出力する。
【００２６】
デコーダ部１０６は、記録再生部１０４から出力された再生信号をデコードして伸長する。デコーダ部１０６には、（デコーダ部１０６により）デコードされた再生信号を、テレビ等の再生装置に供給するためのＡＶ出力端子１０７が接続されている。
【００２７】
ＭＰＵ１０５は、ＥＰＧの信号を受信すると、それをデコードして、ＥＰＧを取得する。このＥＰＧの取得は、所定時に行うよう予め設定しておくと良い。所定時とは、例えば予約された放送番組の録画をスタートする時、放送番組の録画スタート開始時から３０分経過する毎、放送番組の録画を終了する直前（例えば終了５分前）である。
ＥＰＧには、各放送番組の放送番組名、該放送番組に対応するチャンネル、該放送番組の放送開始時刻および放送終了時刻などの情報が含まれている。
【００２８】
そして、ＭＰＵ１０５は、取得したＥＰＧをメモリ１１１に更新記録する。すなわち、既にＥＰＧがある場合、つまり、前回のＥＰＧがある場合、ＭＰＵ１０５は、前回のＥＰＧを消去し、取得したＥＰＧをメモリ１１１に記録する。
なお、ＥＰＧは、放送番組の放送開始時刻および放送終了時刻に変更があっても、該変更に対応したＥＰＧを取得すれば、問題はない。
【００２９】
ＭＰＵ１０５には、タイマーマイコン１０９が接続されている。
タイマーマイコン１０９は、HD付きＤＶＤレコーダ１の時間管理に利用されるタイマー回路（時計ユニット）１０９ａを有している。タイマーマイコン１０９には、ユーザからの操作（指示）を受け付けるユーザ操作入力部１１０が接続されている。
【００３０】
また、ＭＰＵ１０５には、録画予約情報又は装置１本体の動作状態を表示する表示部１０８と、上記EPGや制御プログラム等を記憶するメモリ１１１と、が接続されている。
メモリ１１１は、３つのパーティションで分けられており、録画予約情報を記憶する録画予約情報テーブル１１１ａと、履歴データを記憶する履歴情報テーブル１１１ｂと、上記EPGや制御プログラムが記録される領域と、に分かれている。メモリ１１１は、例えばEEPROMである。
制御プログラムは、複数のルーチンを同時並行で処理するマルチタスク機能を有している。
【００３１】
まず、録画予約情報テーブル１１１ａについて説明する。
録画予約情報は、後述のユーザ操作入力部１１０によって入力され、録画が可能であれば、録画予約情報テーブル１１１ａに登録される。この録画予約情報は、録画予約された放送番組名、録画予約された放送番組のチャンネル（録画予約チャンネル）、録画開始日時／録画終了日時（録画予約時間）であり、放送局ＩＤ、録記録画質等も含まれる。
録画予約情報は、例えば図２に示すように、録画予約情報テーブル１１１ａに登録される。
図２は、録画予約情報テーブル１１１ａのフォーマットの一例を示す図である。
履歴録画予約フラグは、履歴データに基づいて録画予約されたか否かを示すフラグであり、○が履歴データに基づいて録画予約されたことを示し、×が通常の録画予約によって録画予約されたことを示す。通常の録画予約とは、履歴録画以外の録画を意味し、ユーザの直接入力による録画予約又はタイマ録画予約（録画予約）である。その他の、放送番組名、録画予約チャンネル、及び録画予約時間は、従来の記録再生装置で登録される項目と同じである。
【００３２】
次に、履歴情報テーブル１１１ｂについて説明する。
履歴データは、放送番組の記録履歴又は再生履歴に関するデータである。履歴データは、ＭＰＵ１０５によって、例えば図３に示すように、履歴情報テーブル１１１ｂに登録される。ここで、記録は、録画及び録音を含む概念である。
図３は、履歴情報テーブル１１１ｂのフォーマットの一例を示す図である。
履歴情報テーブル１１１ｂは、ＭＰＵ１０５が放送番組の記録を行うと、該放送番組の記録履歴に関する履歴データを記憶する。図３において、記録履歴に関する履歴データは、録画した日時（録画日時）、録画した曜日（録画曜日）、録画したチャンネル（録画CH）、放送番組の名前（放送番組名）である。
【００３３】
一方、履歴情報テーブル１１１ｂは、ＭＰＵ１０５が放送番組の再生を行うと、該放送番組の記録再生履歴に関する履歴データを記憶する。図３において、再生履歴に関する履歴データは、再生実行フラグである。ここで、履歴録画とは、履歴データに基づく録画である。
履歴録画フラグは、履歴録画によって録画されたか否かを示すフラグであり、○が履歴録画によって録画されたことを示し、×が通常の録画によって録画されたことを示す。通常の録画とは、履歴録画以外の録画を意味し、ユーザの直接入力による録画又はタイマ録画（予約録画）である。
また、再生実行フラグは、履歴録画された放送番組が再生されたか否かを示すフラグであり、○が再生されたことを示し、×が再生されていないことを示す。再生されれば、×から○に切替わる。例えば、図３の１１月１５日の「幸せニュース」が再生された場合、×から○に切替わる。
【００３４】
ＭＰＵ１０５は、RAMを内蔵し、メモリ１１１に記憶されている制御プログラムに従い、光ディスクＤに対するデータの記録、再生及び削除と、ユーザ操作入力部１１０を介して入力された録画予約情報に対応する録画動作と、表示部１０８を用いた表示動作と、等を制御する。
【００３５】
ＭＰＵ１０５は、一時記録部１０４ｂ、光ディスクドライブ１０４ａ又はＨＤＤ１０４ｄから光ディスクＤ又はハードディスクの管理情報を、録画予約情報テーブル１１１ａから録画予約情報を、履歴情報テーブル１１１ｂから履歴データを、取得する。
【００３６】
タイマーマイコン１０９は、タイマー回路（時計ユニット）１０９ａ及び録画予約情報テーブル１１１ａをモニタしながら、ユーザにより設定された録画予約情報を管理し、録画開始時刻に達した時点でＭＰＵ１０５に録画開始指示、及び録画終了時刻に達した時点でＭＰＵ１０５に録画終了指示を出力する。
【００３７】
ユーザ操作入力部１１０は、録画キー、再生キー、録画又は再生を停止する停止キー、及びその他の操作キーを有しており、これらのキー操作により、ユーザは、録画、再生、録画予約情報の入力及び録画予約情報の変更等が可能である。
又、ユーザ操作入力部１１０は、図示しないリモコン（リモートコントロール端末）から送信された制御信号を受け入れるデータ受信部１１０ｂと、ユーザからの直接入力を受付け、制御信号をタイマーマイコン１０９へ出力可能な操作パネル１１０ａとを有する。
【００３８】
なお、ＨＤ付きＤＶＤレコーダ１の電源が入っている電源オン状態又はスタンバイ状態で、放送番組の録画開始が可能である。スタンバイ状態では、タイマーマイコン１０９、ＭＰＵ１０５、及びメモリ１１１のみに電源が供給されている。
【００３９】
ここで、光ディスクD及びHDが、本発明の「情報記憶媒体」に相当する。また、ＡＶ入力端子１０１及びチューナ１０２が、本発明の「入力ソース」に相当する。また、EPGが、本発明の「電子番組情報」に相当する。また、ユーザ操作入力部１１０が、本発明の「操作手段」に相当する。また、エンコーダ部１０３、ＭＰＵ１０５が、本発明の「番組情報取得手段」に相当する。また、エンコーダ部１０３、一時記録部１０４ｂ、光ディスクドライブ１０４ａ、データプロセッサ１０４ｃ、ＨＤＤ１０４ｄ、デコーダ部１０６、タイマーマイコン１０９、ＭＰＵ１０５が、本発明の「記録再生手段」に相当する。
【００４０】
図４は、本発明の実施形態であるHD付きＤＶＤレコーダのＭＰＵが常時行う動作を示すフローチャートである。この動作は、ＭＰＵ１０５が行う再生又は記録等のフロントエンド側の処理と別に、電源オン状態又はスタンバイ状態の際にバックエンド側で常時実行している動作である。この動作は、例えば電源オン状態又はスタンバイ状態への移行がトリガとなって実行される。また、図４で示されている履歴録画ルーチンは、上記制御プログラムに関連するルーチンであり、例えば電源オン状態又はスタンバイ状態への移行により、制御プログラムからコールされる。
【００４１】
ＭＰＵ１０５は、現在、フロントエンド側の録画又は再生が行われているか判断する（ｓ１）。
録画又は再生が行われていれば、ＭＰＵ１０５は、一定時間待機し（ｓ４）、ｓ１に戻り処理を継続する。一定時間は、例えば５分である。
【００４２】
一方、録画又は再生が行われていなければ、ＭＰＵ１０５は、履歴情報テーブル１１１ｂの履歴データを参照し（ｓ２、図３参照）、現在所定日であるか否かを判断する（ｓ３）。この判断は、履歴データの録画日とタイマーマイコン１０９の現在時刻とを比較して行なわれる。
現在のテレビション放送による番組編成では、例えば１週間の周期で、同一タイトルの放送番組(例えばドラマ等)をその曜日の同一時間帯に放送するようにしている。よって、所定日は、例えば録画日から１週間後の日、録画日から１日後の日である。例えば図３の放送番組名「幸せニュース」の所定日は、１１月２２日である。また、放送番組名「花の観察」の所定日は、１１月２８日である。
なお、この実施形態では、ｓ３において履歴回数に係わらず「幸せニュース」及び「花の観察」とも所定日を判断しているが、履歴回数の制限を加えても良い。履歴回数の制限は、例えば履歴回数が２回以上の放送番組のみ、ｓ３において所定日を判断することにより行なう。履歴回数の制限を加える場合、履歴回数が１回の「花の観察」はｓ３において所定日を判断されず、ｓ３は、判断否定となる。
【００４３】
ｓ３において現在所定日でないと判断すると、ＭＰＵ１０５は、一定時間待機し（ｓ４）、ｓ１に戻り処理を継続する。
一方、ｓ３において現在所定日であると判断すると、ＭＰＵ１０５は、現在スタンバイ状態であるか判断する（ｓ５）。
【００４４】
現在スタンバイ状態であると判断すると、ＭＰＵ１０５は、装置本体１の電源をオンし、ｓ６に進み処理を継続する。
【００４５】
一方、現在スタンバイ状態でないと判断すると、つまり電源オン状態である場合、ＭＰＵ１０５は、メモリ１１１にアクセスしてEPGを参照する（ｓ６）。
ＥＰＧには、各放送番組の放送番組名、該放送番組に対応するチャンネル、該放送番組の放送開始時刻および放送終了時刻などの情報が含まれている。
つまり、このEPGを参照することにより、各放送番組がどのチャンネルのどの時間帯に放送されているかを把握することができる。また、最新のEPGを参照すれば、放送時間の変更にも対応できる。
【００４６】
ＭＰＵ１０５は、ｓ３において所定日と判断した放送番組がEPGに存在するか否か判断する（ｓ７）。この判断は、同じ番組名がEPGに存在するかを基準に判断する。また、放送番組を一意に特定する特定情報を基準に判断しても良い。特定情報は、例えばSource  IDである。
【００４７】
ｓ３において所定日と判断した放送番組がEPGに存在しないと判断すると、ＭＰＵ１０５は、一定時間待機し（ｓ１１）、ｓ１に戻り処理を継続する。一定時間は、ｓ４と同じ時間であり、例えば５分である。ｓ１１では、ｓ３において所定日と判断した放送番組が、例えば１週間の周期で、同一タイトルの放送番組をその曜日の同一時間帯に放送する放送番組でなかった場面、つまり、１回限りの放送番組であった場面を想定している。
【００４８】
一方、ｓ３において所定日と判断した放送番組がEPGに存在すると判断すると、ＭＰＵ１０５は、該放送番組と録画予約情報テーブル１１１aに登録されている放送番組との放送時間帯が重なるか否か判断する（ｓ８、図２参照）。ｓ８は、履歴録画より通常の録画を優先して録画する趣旨である。
【００４９】
ｓ３において所定日と判断した放送番組が録画予約情報テーブル１１１aに存在すると判断すると、ＭＰＵ１０５は、一定時間待機し（ｓ１１）、ｓ１に戻り処理を継続する。例えば図３では、「野鳥の観察」が１１月７、１４日と録画されているが、１１月２１日に「花の観察」がユーザによって録画予約された場合、１１月２１日の録画は、「花の観察」を優先させている。１１月２１日の「野鳥の観察」の履歴録画は、諦めている。
このように、履歴録画より通常の録画を優先して録画することで、ユーザの意志により予約された録画設定を妨害することが無くなるという効果を奏する。
【００５０】
一方、ｓ３において所定日と判断した放送番組が録画予約情報テーブル１１１aに存在しないと判断すると、ＭＰＵ１０５は、ｓ３において所定日と判断した放送番組を録画予約する旨を表示部１０８に表示させる（ｓ９）。放送番組を録画予約する旨の表示は、例えば「前回録画した続きの放送番組を録画予約します。よろしいですか？」である。
【００５１】
ＭＰＵ１０５は、ｓ３において所定日と判断した放送番組を録画予約しても良いか否か判断する（ｓ１０）。この判断は、ユーザ操作入力部１１０からのユーザの指示により判断する。この際、数秒以内にいずれの指示も無い場合、判断肯定と扱う。数秒は、例えば５〜６０秒である。
【００５２】
ｓ３において所定日と判断した放送番組を録画予約してはいけないと判断すると、ＭＰＵ１０５は、一定時間待機し（ｓ１１）、ｓ１に戻り処理を継続する。
【００５３】
一方、ｓ３において所定日と判断した放送番組を録画予約しても良いと判断すると、ＭＰＵ１０５は、該放送番組を録画予約情報テーブル１１１aに登録（記録）する（ｓ１２、図２参照）。この際、録画予約情報テーブル１１１aは、該放送番組に履歴録画予約フラグを立てる。履歴録画予約フラグは、履歴データに基づく録画予約であることを示す情報である。
後に、録画予約情報テーブル１１１aに基づいて録画が実行されることにより（後述の図５ｓ１０１参照）、履歴録画が行なわれる。
【００５４】
図５は、本発明の実施形態であるHD付きＤＶＤレコーダのＭＰＵが録画開始指示時に行う動作を示すフローチャートである。この動作は、録画キーの押下又はタイマーマイコン１０９の録画開始指示がトリガとなって開始される動作である。また、図５で示されている録画開始指示ルーチンは、上記制御プログラムに関連するルーチンであり、録画キーの押下又はタイマーマイコン１０９の録画開始指示により、制御プログラムからコールされる。
【００５５】
録画キーの押下又はタイマーマイコン１０９の録画開始指示があると、ＭＰＵ１０５は、録画を行なうための動作を装置本体１各部に指示する（ｓ１０１）。例えば、ＭＰＵ１０５は、チャンネルをTVチューナ１０２に指定する。
【００５６】
ＭＰＵ１０５は、ｓ１０１の録画が、履歴録画であるか否か判断する（ｓ１０２）。この判断は、録画予約情報テーブル１１１aの履歴録画予約フラグを参照することにより行なわれる。
【００５７】
履歴録画であると判断すると、ＭＰＵ１０５は、履歴録画実行中である旨を表示部１０８に表示させ（ｓ１０３）、ｓ１０４に進む。
【００５８】
一方、履歴録画でないと判断すると、ＭＰＵ１０５は、停止キーの押下又はタイマーマイコン１０９の録画終了指示があったか否か判断する（ｓ１０４）。
【００５９】
停止キーの押下又はタイマーマイコン１０９の録画終了指示を待って、ＭＰＵ１０５は、録画の終了する（ｓ１０５）。
【００６０】
そして、ＭＰＵ１０５は、今回の記録履歴に関する履歴データを履歴情報テーブル１１１ｂに記録する（ｓ１０６、図３参照）。例えば、今回の記録履歴が録画日時１１月２１日の「花の観察」であれば、ＭＰＵ１０５は、その履歴データを履歴情報テーブル１１１ｂに記録する（図３参照）。また、今回の記録履歴が録画日時１１月１５日の「幸せニュース」であれば、ＭＰＵ１０５は、その履歴データを履歴情報テーブル１１１ｂに記録する（図３参照）。
【００６１】
ＭＰＵ１０５は、ｓ１の録画が、履歴録画であるか否か判断する（ｓ１０７）。この判断は、ｓ１０２と同様、録画予約情報テーブル１１１aの履歴録画予約フラグを参照することにより行なわれる。
履歴録画でないと判断すると、ＭＰＵ１０５は、本処理を終了する。
【００６２】
一方、履歴録画であると判断すると、ＭＰＵ１０５は、履歴録画完了である旨を表示部１０８に表示させ（ｓ１０８）、併せて履歴情報テーブル１１１ｂに履歴録画フラグを立てる（ｓ１０９）。図３は、「花の観察」及び「幸せニュース」の内「幸せニュース」が履歴録画され、履歴録画フラグが立てられた様子を表している。
【００６３】
図６は、本発明の実施形態であるHD付きＤＶＤレコーダのＭＰＵが行う動作を示すフローチャートである。この動作は、例えば電源オン状態への移行、現在時刻が所定の時刻になった時がトリガとなって実行される動作である。所定の時刻は、例えばユーザがあまりHD付きＤＶＤレコーダ１を使用しない夜間等の時刻である。また、図６で示されている履歴録画データ削除ルーチンは、上記制御プログラムに関連するルーチンであり、例えば電源オン状態への移行により、又は現在時刻が所定の時刻になった時、制御プログラムからコールされる。
まず、ＭＰＵ１０５は、履歴情報テーブル１１１ｂに記憶されている履歴データを参照する（ｓ２０１、図３参照）。具体的には、ＭＰＵ１０５は、履歴情報テーブル１１１ｂにおいて履歴録画フラグが付いている履歴データを参照する。
次に、ＭＰＵ１０５は、一時記録部１０４ｂ、光ディスクドライブ１０４ａ又はＨＤＤ１０４ｄから光ディスクＤ又はハードディスクの管理情報を取得する（ｓ２０２）。
【００６４】
ＭＰＵ１０５は、光ディスクD又はHDに、履歴録画された放送番組が存在するか否かを判断する（ｓ２０３）。この判断は、例えば放送番組名を基準に、管理情報と履歴データとを対比することにより行なわれる。履歴録画された放送番組名が、光ディスクD又はHDと履歴情報テーブル１１１ｂとの両方にある場合に、判断肯定となる。履歴情報テーブル１１１ｂにおいて、履歴録画されたか否かを示す情報は、履歴録画フラグである。
【００６５】
光ディスクD又はHDに履歴録画された放送番組が存在しなければ、ＭＰＵ１０５は、本処理を終了する。
一方、光ディスクD又はHDに履歴録画された放送番組が存在していれば、ＭＰＵ１０５は、履歴録画された放送番組が保存期間を経過しているか否かを判断する（ｓ２０４）。保存期間は、履歴録画した放送番組がユーザにとって必要ないと擬制することができる時間にすれば良く、例えば５日、１０日である。この判断は、履歴録画フラグの立っている履歴データの録画日とタイマーマイコン１０９の現在時刻とを対比することにより行なわれる（図３参照）。
なお、上記実施形態の構成の変形例として、ユーザ操作入力部１１０に上記保存期間を予め設定する保存期間設定キーを設けても良い。この場合、保存期間設定キーにより保存期間が予め設定されると、ｓ２０４においてＭＰＵ１０５は、履歴録画された放送番組がその設定された保存期間を経過しているか否かを判断する。これにより、ユーザは、履歴録画した放送番組（特定放送番組）を不必要なデータと擬制する期間を調節できるという効果を奏する。
【００６６】
ｓ２０４において、光ディスクD又はHDに履歴録画された放送番組が保存期間を経過していないと判断すると、ＭＰＵ１０５は、本処理を終了する。
一方、ｓ２０４において、光ディスクD又はHDに履歴録画された放送番組が保存期間を経過していると判断すると、ＭＰＵ１０５は、該放送番組が再生されたか否かを判断する（ｓ２０５）。この判断は、該放送番組の再生実行フラグが立っているか否かを基準に行われる。再生実行フラグは、履歴録画された放送番組が再生されたか否かを示すフラグであり、○が再生されたことを示し、×が再生されていないことを示す。図３より、１１月８日の「幸せニュース」は、再生実行フラグが立っているので、判断肯定である。逆に、１１月１５日の「幸せニュース」は、再生実行フラグが立っていないので、判断否定である。
【００６７】
履歴録画された放送番組が再生されたと判断すると、ＭＰＵ１０５は、本処理を終了する。
一方、履歴録画された放送番組が再生されていないと判断すると、ＭＰＵ１０５は、光ディスクD又はHDから該放送番組を光ディスクドライブ１０４ａ又はＨＤＤ１０４ｄに削除させ（ｓ２０６）、本処理を終了する。ここでは、保存期間視聴されない放送番組を不必要なデータと擬制して自動削除している。
【００６８】
以上図４〜６のように、録画設定が行われずとも、放送番組の履歴を参照して自動録画し、且つ一定期間視聴されない放送番組を自動削除することで、本当に視聴したかった放送番組の録画忘れを防止している。
従って、ユーザが録画又は録画予約すること事態を忘れてしまっても、視聴したかった放送番組を見逃すことがなくなるという効果を奏する。
また、保存期間視聴されない放送番組を自動削除するので、光ディスクD又はHDの空き領域を確保できるという効果も奏する。
【００６９】
ここで、保存期間が、本発明の「一定期間」に相当する。また、履歴録画した放送番組が、本発明の「特定放送番組」に相当する。
【図面の簡単な説明】
【００７０】
【図１】本発明の実施形態であるHD付きＤＶＤレコーダの構成を示すブロック図
【図２】録画予約情報テーブル１１１ａのフォーマットの一例を示す図
【図３】履歴情報テーブル１１１ｂのフォーマットの一例を示す図
【図４】本発明の実施形態であるHD付きＤＶＤレコーダのＭＰＵが常時行う動作を示すフローチャート
【図５】本発明の実施形態であるHD付きＤＶＤレコーダのＭＰＵが録画開始指示時に行う動作を示すフローチャート
【図６】本発明の実施形態であるHD付きＤＶＤレコーダのＭＰＵが行う動作を示すフローチャート
【符号の説明】
【００７１】
１−ＨＤ付きＤＶＤレコーダ
１０１−映像信号入力端子
１０２−ＴＶチューナ
１０３−エンコーダ部
１０４−記録再生部
１０４a−光ディスクドライブ
１０４ｂ−一時記録部
１０４ｃ−データプロセッサ
１０４ｄ−ＨＤＤ
１０５−マイクロプロセッサユニット
１０６−デコーダ部
１０７−映像出力端子
１０８−表示部
１０９−タイマーマイコン
１０９ａ−タイマー回路（時計ユニット）
１１０−ユーザ操作入力部
１１０ａ−操作パネル
１１０ｂ−データ受信部
１１１−メモリ
１１１ａ−録画予約情報テーブル
１１１ｂ−履歴情報テーブル
【図１】
2007194729.tif 000003
【図２】
2007194729.tif 000004
【図３】
2007194729.tif 000005
【図４】
2007194729.tif 000006
【図５】
2007194729.tif 000007
【図６】
2007194729.tif 000008